(57)【要約】      （修正有）【課題】密封容器内の薬液を噴霧しようとする場合に、内容液を空のスプレー容器に移し替える必要がなく、且つ、感染の危険性の少ない、スプレーヘッド及びそれを備えたスプレー容器を提供する。【解決手段】封止体２ａで密封された容器口部２に密着固定される筒状体５と、内部に液流通路６を有するとともに一端に尖端７を有し、尖端によって封止体を穿刺できるように筒状体の内部に移動可能に支持された穿刺針８と、穿刺針の他端に設けられ、液流通路に連通する噴霧口９とを有することとした。【選択図】図１
2008110802.tif 000002
【特許請求の範囲】
【請求項１】
封止体で密封された容器口部に取り付けられるスプレーヘッドであって、
前記容器口部に密着固定される筒状体と、
内部に液流通路を有するとともに一端に尖端を有し、該尖端によって前記封止体を穿刺できるように前記筒状体の内部に移動可能に支持された穿刺針と、
前記穿刺針の他端に設けられ、前記液流通路に連通する噴霧口と、
を有することを特徴とするスプレーヘッド。
【請求項２】
前記噴霧口が、前記穿刺針に対して略直角方向に向けられていることを特徴とする請求項１に記載のスプレーヘッド。
【請求項３】
前記筒状体を前記噴霧口の上方に配置する倒立状態でスプレーヘッドを支持するスタンドを、更に備えることを特徴とする請求項２に記載のスプレーヘッド。
【請求項４】
トリガーを更に備えることを特徴とする請求項１〜３の何れかに記載のスプレーヘッド。
【請求項５】
前記穿刺針の筒状体の内部での後退位置から前進位置への移動を阻止し、且つ、前記筒状部に取り外し自在に装着されたストッパーを更に備えることを特徴とする請求項１〜４の何れかに記載のスプレーヘッド。
【請求項６】
前記筒状体と前記穿刺針とは、互いに係合する第１係合要素及び第２係合要素を備え、前記第１係合要素は、前記穿刺針が前記封止体から所定距離だけ離隔した位置で筒状体に保持される状態を保つように係合し、前記第２係合要素は、前記穿刺針が前記筒状体内を移動して前記封止体を穿刺、貫通した所定位置で前記筒状体に保持された状態を保つように係合するように構成され、
前記第２係合要素が係合する位置において、前記液流通路の前記穿刺針尖端側の開口部は、前記容器内であって前記封止体の近傍に形成されていることを特徴とする請求項１に記載のスプレーヘッド。
【請求項７】
封止体で密封された口部を備える容器本体と、前記口部に取り付けられたスプレーヘッドとを、備えるスプレー容器であって、
該スプレーヘッドは、
前記容器口部に密着固定される筒状体と、
内部に液流通路を有するとともに一端に尖端を有し、該尖端によって前記封止体を穿刺できるように前記筒状体の内部に移動可能に支持された穿刺針と、
該穿刺針の他端に設けられ、前記液流通路に連通する噴霧口と、
を有することを特徴とするスプレー容器。
【請求項８】
前記スプレーヘッドの噴霧口が、前記穿刺針に対して略直角方向に向けられていることを特徴とする請求項７に記載のスプレー容器。
【請求項９】
前記容器本体を前記スプレーヘッドの上方に配置する倒立状態で支持するスタンドが、前記スプレーヘッドに設けられていることを特徴とする請求項７に記載のスプレー容器。
【請求項１０】
前記スプレーヘッドが、トリガーを備えていることを特徴とする請求項７〜９の何れかに記載のスプレー容器。
【請求項１１】
前記穿刺針の前記封止体への接近移動を阻止し、且つ、前記筒状体に取り外し自在に装着されたストッパーを更に備えることを特徴とする請求項７〜１０の何れかに記載のスプレー容器。
【請求項１２】
前記筒状体と前記穿刺針とは、互いに係合する第１係合要素及び第２係合要素を備え、前記第１係合要素は、前記穿刺針が前記封止体から所定距離だけ離隔した位置で筒状体に保持される状態を保つように係合し、前記第２係合要素は、前記穿刺針が前記筒状体内を移動して前記封止体を穿刺、貫通した所定位置で前記筒状体に保持された状態を保つように係合するように構成され、
前記第２係合要素が係合する位置において、前記液流通路の前記穿刺針尖端側の開口部は、前記容器内であって前記封止体の近傍に形成されていることを特徴とする請求項７に記載のスプレー容器。
【発明の詳細な説明】
【技術分野】
【０００１】
本発明は、スプレーヘッド及びそれを備えたスプレー容器に関する。
【背景技術】
【０００２】
生理食塩液等の洗浄液や、ある種の消毒液、あるいは組織灌流液、組織保存液等の薬液は、容器口部が封止体で密封された容器に収容されたものが多い。このような薬液は、目的によっては噴霧して用いることが望まれる。
【発明の開示】
【発明が解決しようとする課題】
【０００３】
密封容器内の薬液を噴霧しようとする場合、容器口部に流通針を穿刺し、内容液を空のスプレー容器に移し替える必要があり、煩雑な上に感染の危険性があった。
【０００４】
また、従来のスプレー容器は、容器内と噴霧口が常に連通状態にあるため、誤って噴霧したり、噴霧口から液漏れするおそれがあった。
【０００５】
そこで、本発明は、これらの問題を解消し得るスプレーヘッド及び該スプレーヘッドを備えたスプレー容器を提供する。
【課題を解決するための手段】
【０００６】
上記問題を解決するため、本発明に係るスプレーヘッドは、封止体で密封された容器口部に取り付けられるスプレーヘッドであって、前記容器口部に密着固定される筒状体と、内部に液流通路を有するとともに一端に尖端を有し、該尖端によって前記封止体を穿刺できるように前記筒状体の内部に移動可能に支持された穿刺針と、該穿刺針の他端に設けられ、前記液流通路に連通する噴霧口と、を有することを特徴とする。
【０００７】
前記噴霧口が、前記穿刺針に対して略直角方向に向けられていることが好ましい。
【０００８】
また、前記筒状体を前記噴霧口の上方に配置する倒立状態でスプレーヘッドを支持するスタンドを、更に備えることが好ましい。
【０００９】
さらに、本発明に係る前記スプレーヘッドは、トリガーを備えることがこのましい。
【００１０】
また、本発明に係る前記スプレーヘッドは、前記穿刺針の筒状体の内部での後退位置から前進位置への移動を阻止し、且つ、前記筒状部に取り外し自在に装着されたストッパーを更に備えることが好ましい。
【００１１】
さらにまた、本発明に係る前記スプレーヘッドは、前記筒状体と前記穿刺針とは、互いに係合する第１係合要素及び第２係合要素を備え、前記第１係合要素は、前記穿刺針が前記封止体から所定距離だけ離隔した位置で筒状体に保持される状態を保つように係合し、前記第２係合要素は、前記穿刺針が前記筒状体内を移動して前記封止体を穿刺、貫通した所定位置で前記筒状体に保持された状態を保つように係合するように構成され、前記第２係合要素が係合する位置において、前記液流通路の前記穿刺針尖端側の開口部は、前記容器内であって前記封止体の近傍に形成されていることが好ましい。
【００１２】
また、上記問題を解決するため、本発明に係るスプレー容器は、封止体で密封された口部を備える容器本体と、前記口部に取り付けられたスプレーヘッドとを、備えるスプレー容器であって、該スプレーヘッドは、前記容器口部に密着固定される筒状体と、内部に液流通路を有するとともに一端に尖端を有し、該尖端によって前記封止体を穿刺できるように前記筒状体の内部に移動可能に支持された穿刺針と、該穿刺針の他端に設けられ、前記液流通路に連通する噴霧口と、を有することを特徴とする。
【００１３】
本発明に係る前記スプレー容器は、前記スプレーヘッドの噴霧口が、前記穿刺針に対して略直角方向に向けられていることが好ましい。
【００１４】
また、本発明に係る前記スプレー容器は、前記容器本体を前記スプレーヘッドの上方に配置する倒立状態で支持するスタンドが、前記スプレーヘッドに設けられていることが好ましい。
【００１５】
さらに、本発明に係る前記スプレー容器は、前記スプレーヘッドが、トリガーを備えていることが好ましい。
【００１６】
また、本発明に係る前記スプレー容器は、前記穿刺針の前記封止体への接近移動を阻止し、且つ、前記筒状体に取り外し自在に装着されたストッパーを更に備えることが好ましい。
【００１７】
さらにまた、本発明に係る前記スプレー容器は、前記筒状体と前記穿刺針とは、互いに係合する第１係合要素及び第２係合要素を備え、前記第１係合要素は、前記穿刺針が前記封止体から所定距離だけ離隔した位置で筒状体に保持される状態を保つように係合し、前記第２係合要素は、前記穿刺針が前記筒状体内を移動して前記封止体を穿刺、貫通した所定位置で前記筒状体に保持された状態を保つように係合するように構成され、前記第２係合要素が係合する位置において、前記液流通路の前記穿刺針尖端側の開口部は、前記容器内であって前記封止体の近傍に形成されていることが好ましい。
【発明の効果】
【００１８】
本発明によれば、穿刺針を筒状体内で移動させて封止体に穿刺すれば、穿刺針の液流通路と連通する噴霧口から容器内の液を噴霧することができるので、従来のように別途用意したスプレー容器に液を移し替える必要が無く、また、使用直前まで内溶液を密封状態にしておくことができるので、汚染の危険性を減少させることができる。さらに、穿刺針によって封止体を穿刺する前、或いは穿刺後であっても穿刺針を封止体から引く抜くことにより、容器内と噴霧口との連通状体を遮断できるため、誤って噴霧したり、噴霧口から液漏れすることを防止できる。
【発明を実施するための最良の形態】
【００１９】
本発明に係るスプレー容器の実施形態について、以下に図１〜１１を参照して説明する。なお、全図及び全実施形態について、同様の構成部分には同符号を付した。
【００２０】
スプレー容器１は、図１，２に示すように、封止体２ａで密封された容器口部２を備える容器本体３と、容器口部２に取り付けられたスプレーヘッド４とを、備えている。封止体２ａは、図１，２に示す例では、ゴム材料によって形成されているが、弾性を有しないプラスチック製の薄膜によって形成することもできる。
【００２１】
スプレーヘッド４は、容器本体３の容器口部２に密着固定される筒状体５と、内部に液流通路６を有するとともに一端に尖端７を有し、尖端７によって封止体２ａを穿刺できるように筒状体５の内部に移動可能に支持された穿刺針８と、穿刺針８の他端に設けられ、液流通路６に連通する噴霧口９と、を備えている。
【００２２】
穿刺針８は、穿刺針８を筒状体５の中心軸線方向に沿って移動自在に案内するための案内保持手段を備えている。案内保持手段は、図示例では、筒状体５の内周面に摺動自在に当接する筒状をした内筒部１１と、筒状体５の外周面に摺動自在に当接するキャップ状をした外筒部１２と、内筒部１１の外周面に形成された凹溝に嵌められたゴム製のＯリング１３と、によって構成されている。Ｏリング１３は、気密性にも寄与する。
【００２３】
筒状体５は、その外周面に鍔部１４を備え、その内周面に段部１５を備えることができる。筒状体５の内周面は、その内周面の段部１５によって、大径内周面と小径内周面とに分かれている。穿刺針８の内筒部１１は、筒状体５の小径内周面に摺接し得る外径を有する本体部分と、該本体部分の端部にあって筒状体５の小径内周面より少し大径の鍔部１６と、を備えている。筒状体５の鍔部１４は、穿刺針８の外筒部１２の端面１２ａを受けることができ、筒状体５の段部１５は、内筒部１１の鍔部１６を受けることができるようになっている（図１、２の拡大部分を参照）。
【００２４】
筒状体５は、公知の方法によって容器口部２に固定することができ、その固定方法は、嵌合、螺号、溶着等、特に限定されない。筒状体５は、容器口部２に着脱自在に固定しても良い。筒状体５を容器口部２に着脱可能に固定しておけば、スプレーヘッド４と容器本体３とを分別廃棄することができる。
【００２５】
筒状体５と穿刺針８とは、互いに係合する第１係合要素及び第２係合要素を備えることが好ましい。第１係合要素は、穿刺針８が封止体２ａから所定距離だけ離隔した位置で筒状体に保持される状態（図１に示す状態）を保つように係合する。第２係合要素は、穿刺針８が筒状体５内を移動して封止体２ａを穿刺、貫通した所定位置で筒状体５に保持された状態（図２に示す状態）を保つように係合する。第２係合要素が係合するときに、筒状体５の鍔部１４に外筒部１２が当接し、内筒部１１の鍔部１６が筒状体５の段部１５に当接するように設計されている。
【００２６】
第１係合要素は、内筒部１１の鍔部１６の外周面に形成された凸部１７と、筒状体５の内周面の所定位置に形成されて凸部１７に係合する第１の凹部１８とによって構成されており、第２係合要素は、凸部１７と、筒状体５の内周面の所定位置に形成されて凸部１７と係合する第２の凹部１９とによって構成されている。第１係合要素及び第２係合要素は、何れも係脱自在に係合できるように、凸部１７の突出度合いと凹部１８、１９の凹み度合いが小さく形成されている。第１係合要素及び第２係合要素は、図示例に限らず、種々態様の係合要素を採用できる。第２係合要素は、その係合位置に穿刺針８が位置している場合には、穿刺針８が封止体２ａを貫通し、穿刺針８の液流通路６に容器本体３内の液が流通することを保証することができる。
【００２７】
前記第１係合要素は、係合位置から穿刺針８が封止体２ａに接近する方向へは係合が外れやすく、その逆方向、即ち穿刺針８が封止体２ａから離反する方向へは、係合が外れにくく構成することが好ましい。具体的には、例えば、図３に示すように、係合する第１の凹部１８の形状に関し、第１の凹部１８を形成する、対向する溝内壁のうち、一方の壁１８ａを、他方の壁１８ｂよりも張り出させることで、係合が外れる方向によって係合強さを変えることができる。このように穿刺針８が封止体２ａから離反する方向への係合を外れにくくすることにより、穿刺針８が筒状体５から抜脱することを防止することができる。
【００２８】
穿刺針８は、前記第２係合要素の係合時に、液流通路６の開口部２が、容器本体２内であって封止体２ａの近傍に位置するように形成されている。後述するように、本発明のスプレー容器１は使用時には容器を倒立状態とするため、使用後に容器本体２内の残液を出来るだけ少なくし、出来るだけ多くの液を噴霧できるようにするためである。従って、開口部２が穿刺針８の尖端７に開口している場合（図１，２の場合）、穿刺針８は、封止体２ａを貫通するだけの長さであって、できるだけ短くすることにより、スプレーヘッド４をコンパクトにすることが好ましい。即ち、穿刺針８は、その尖端が封止体２ａを貫通して該尖端が封止体の近傍位置迄しか刺し込むことができないような長さに設定しておくことが好ましい。なお、液流通路６は、図４に示すように、穿刺針８Ａの尖端７近傍の側面に開口部２を形成することもでき、この場合は、開口部２を尖端に形成した穿刺針８に比べて穿刺針８’を多少長くすることもできる。
【００２９】
また、容器本体３をスプレーヘッド４の上方に配置する倒立状態で支持するスタンド２０が、スプレーヘッド４に設けられている（図５参照）。スタンド２０は、スプレー容器１を倒立状態でテーブル等に置くことが出来るように構成されていれば形状は特に限定されず、例えば、板状の他、筒状等であっても良い。
【００３０】
スプレーヘッド４は、トリガー２１を備えることができる。トリガー２１は、公知のものを採用でき、一般的なスプレーと同様に、スプレーヘッド４内部のピストンポンプ（不図示）に連結させられ、トリガー２１を引くと、ポンピング作用によって、穿刺針を通じて液体が吸引され、その吸引された液体が噴霧口９から霧状に吹き出される。
【００３１】
スプレーヘッド４の噴霧口９は、穿刺針８に対して略直角方向に向けられていることが好ましい。なお、噴霧口９は、必要に応じて回転操作により噴出状態が霧、シャワー、ストレート等に切り換わる公知の切替機構を備えても良い。また、噴霧口９を剥離可能なフィルムで封止しておくことにより、使用時まで無菌状態を保つようにしてもよい。
【００３２】
上記構成を有するスプレー容器１は、次のようにして使用される。先ず、図１に示す状態からスプレーヘッド４を上から押さえて、穿刺針を下方に移動させ、図２に示す連通状態とした後、天地を逆にする。そして、図６示すように、筒状体５を手で保持し、トリガー２１を引いて内容液を噴霧口９から噴霧する。このように、容器本体３を逆さにして噴霧すると、容器本体３内の内溶液の残量を判別しやすい。
【００３３】
ここで、スプレーヘッドは、エア取り入れ口（図示せず）を備えない公知のスプレーヘッドを採用することもできる。この種のスプレーヘッドは、例えば特開２００５−１１１４７２号や特開２０００−２５５６５２号等に開示されており、外気を導入しないため、噴霧すべき液を（通常は空隙無く）充満した容器が柔軟な可撓性の容器で構成され、噴霧による容器内液の減少に伴い容器がその内容積を減少させるよう変形するようになっている。従って、このようなエア取り入れ口の無いスプレーヘッドを用いれば、スプレー容器は、スプレーヘッドと容器本体とがどのような位置関係にあっても穿刺針の開口部を液中に浸漬した状態とすることができるため、倒立状態に限らず、いかなる姿勢であっても噴霧できる。
【００３４】
上記実施形態では、第１係合要素及び第２係合要素を備える形態について説明したが、第１係合要素及び第２係合要素を備えない実施形態とすることもできる。
【００３５】
第１係合要素を備えない場合は、穿刺針が筒状体から抜脱するのを防止する抜け止め機構を備えることが好ましい。そのような抜け止め機構としては、種々の機構を採用することができるが、例えば、図７に示すように、スプレーヘッド４Ａの筒状体５の端部に内側に突出する鍔部５１を形成し、この鍔部５１に内筒部１１の端部が当接することによって、穿刺針８が筒状体５から抜けないようにすることができる。
【００３６】
なお、第２係合要素を備えない場合は、穿刺針８を封止体２ａに穿刺すれば、封止体２ａの弾性力によって、穿刺針８が封止体２ａを貫通した状態を保持することができる。
【００３７】
次に、本発明に係るスプレーヘッドの更に他の実施形態について、以下に図８〜図１１を参照して説明する。
【００３８】
図に示すように、スプレーヘッド４Ｂは、容器口部２′に密着固定される筒状体５′と、内部に液流通路６′を有する穿刺針８′と、液流通路６′と連通する噴霧口９′とを備えている。穿刺針８′は、外筒部１２′が形成されており、この外筒部１２′の内周面が筒状体５′の外周面に摺接しており、それによって、穿刺針８′が容器口部２′の封止体２ｂを穿刺できるように筒状体５′内を移動可能に支持されている。
【００３９】
容器口部２′に形成されている封止体２ｂは、容器口部２′を形成しているプラスチック材料によって一体的に薄膜状に形成されている。また、容器口部２′には、保持筒２ｃが形成されていて、保持筒２ｃは穿刺針８′の先端部外周に摺接し、穿刺針８′の先端を案内することに加えて、穿刺針８′を封止体２ｂに穿刺させた時に液密性を高めることができる。また、気密性を確保するため、筒状部５′の外周面に形成された切欠き溝にはＯリング１３′が嵌め込まれ、筒状部５′の内面と容器口部２′との当接箇所には環状のゴムパッキン２９が介在させられている。
【００４０】
さらに、意図しない穿刺針８′の封止体２ｂへの穿刺を避けるため、穿刺針８′を封止体２ｂへ接近することを阻止するストッパー３０が装着されている。このストッパー３０は、図９、１０によく現れているように、可撓性のあるプラスチック素材によって形成され、筒状体５′の外周部分に外嵌する概ねリング状で一部が切り離されている本体部３０ａと、本体部３０ａに突出状に設けられ本体部３０ａを筒状体５′から引き離すための摘み片３０ｂとからなる。本体部３０ａは、一部が切り離されていなくてもよく、それに代えて、例えば、切り離し易くした薄肉部又は切欠き溝等による易破断部が形成されていてもよい。
【００４１】
ストッパー３０は、外筒部１２′の下端面と、筒状部５′の容器口部２′上周縁に沿う肩部又は段部との間に配置され、外筒部１２′の容器口部２′側への移動を確実に阻止することで、封止体２ｂを穿刺していない後退位置にある穿刺針８′を、穿刺針８′の前進位置に位置している封止体２ｂの側へ移動することを阻止している。ストッパー３０は、摘み片３０ｂを引っ張ることにより、本体部３０ａがその保有弾性下に変形し、筒状部５′から引き離すことができ、図１１に示すように穿刺針８′を封止体２ｂに穿刺することができる。ストッパー３０は、着脱自在とすることができる。
【００４２】
なお、ストッパーは、図示例の態様に限らず、スプレー容器の使用時まで、穿刺針の封止体の側への移動を阻止し、封止体への意図しない穿刺を防止できる構成のものであれば良い。
【図面の簡単な説明】
【００４３】
【図１】本発明に係るスプレー容器の一実施形態を、一部拡大断面図とともに示す部分縦断側面図である。
【図２】図１のスプレー容器のスプレーヘッドを移動させた状態を、一部拡大断面図とともに示す部分縦断面側面図である。
【図３】本発明に係るスプレー容器の変更形態を示す部分拡大断面図である。
【図４】本発明に係るスプレー容器の他の変更形態を示す要部拡大断面図である。
【図５】図１のスプレー容器の倒立状体を示す部分断面側面図である。
【図６】図１のスプレー容器の使用状態を示す部分断面側面図である。
【図７】本発明に係るスプレー容器の更に他の変更形態を示すスプレーヘッドの部分断面側面図である。
【図８】本発明に係るスプレーヘッドの他の実施形態を、一部拡大断面図とともに示す部分縦断側面図である。
【図９】図８のスプレーヘッドの構成要素であるストッパーを示す斜視図である。
【図１０】図９のストッパーの平面図である。
【図１１】図８のスプレーヘッドから図９のストッパーを取り外した使用状態を示す部分縦断側面図である。
【符号の説明】
【００４４】
１  スプレー容器
２  容器口部
２ａ  封止体
３  容器本体
４  スプレーヘッド
５  筒状体
６  液流通路
７  尖端
８  穿刺針
９  噴霧口
【図１】
2008110802.tif 000003
【図２】
2008110802.tif 000004
【図３】
2008110802.tif 000005
【図４】
2008110802.tif 000006
【図５】
2008110802.tif 000007
【図６】
2008110802.tif 000008
【図７】
2008110802.tif 000009
【図８】
2008110802.tif 000010
【図９】
2008110802.tif 000011
【図１０】
2008110802.tif 000012
【図１１】
2008110802.tif 000013